(57)【特許請求の範囲】
【請求項１】
胴および裏蓋を有する外装ケースと、外部無線情報を受信するアンテナと、このアンテナで受信した外部無線情報を処理する受信手段と、前記アンテナおよび受信手段が内部に配置されて外装ケース内に収納されているモジュールとを備え、
前記胴は、少なくとも一部が金属で構成され、
前記モジュールの側面には、複数の突出部が前記胴の内周面に当接するように設けられており、
前記胴の内周面において前記アンテナに最も近接する位置には、前記突出部が当接する箇所を避けて凹部が形成され、
この凹部には、前記胴より高透磁率かつ低導電率である磁性部材が嵌め込まれている
ことを特徴とするアンテナ内蔵式電子時計。
【請求項２】
請求項１に記載のアンテナ内蔵式電子時計において、
前記胴の内周面は、平面円形に形成されるとともに、
前記アンテナは、磁性体コアおよびこの磁性体コアに巻かれたコイルにより構成され、
前記コイルおよび磁性部材は、胴の内周面に沿って平面円弧状にそれぞれ形成され、
前記磁性部材の一端部における胴の周方向の位置は、前記コイルの軸線が描く円弧の中心からコイルの一端部に向かって伸びる直線が胴の内周面と交わる位置から、前記円弧の中心から磁性体コアの一端部に向かって伸びる直線が前記胴の内周面と交わる位置までの間とされているとともに、
前記磁性部材の他端部における胴の周方向の位置は、前記コイルの軸線が描く円弧の中心からコイルの他端部に向かって伸びる直線が胴の内周面と交わる位置から、前記円弧の中心から磁性体コアの他端部に向かって伸びる直線が前記胴の内周面と交わる位置までの間とされている
ことを特徴とするアンテナ内蔵式電子時計。
【請求項３】
請求項１に記載のアンテナ内蔵式電子時計において、
前記アンテナは、磁性体コアおよびこの磁性体コアに巻かれたコイルにより構成され、
前記コイルの平面形状は、コイルの軸線が直線状に形成されており、
前記磁性部材の一端部におけるコイルの軸線方向の位置は、コイルの軸線方向に沿ったコイルの一端部の位置から磁性体コアの一端部の位置までの間とされているとともに、
前記磁性部材の他端部におけるコイルの軸線方向の位置は、コイルの軸線方向に沿ったコイルの他端部の位置から磁性体コアの他端部の位置までの間とされている
ことを特徴とするアンテナ内蔵式電子時計。
【請求項４】
請求項１から請求項３のいずれかに記載のアンテナ内蔵式電子時計において、
前記アンテナは、磁性体コアおよびこの磁性体コアに巻かれたコイルにより構成され、
前記磁性部材の上端部における胴の厚さ方向の位置は、胴の厚さ方向における磁性体コアの上端部の位置と同じあるいは磁性体コア上端部の位置より上方とされ、
前記磁性部材の下端部における胴の厚さ方向の位置は、胴の厚さ方向における磁性体コアの下端部より下方とされている
ことを特徴とするアンテナ内蔵式電子時計。
【請求項５】
請求項１から請求項４のいずれかに記載のアンテナ内蔵式電子時計において、
前記胴の外周面において時計の２時方向および４時方向の位置には、一対の操作ボタンが設けられて、
前記突出部は、前記モジュール中心に対して前記各操作ボタンとは反対側の位置となる時計の８時方向および１０時方向にそれぞれ形成されており、
前記アンテナおよび磁性部材は、前記モジュールおよび胴内周面において時計の１２時方向または６時方向に設けられている
ことを特徴とするアンテナ内蔵式電子時計。
【請求項６】
請求項１から請求項４のいずれかに記載のアンテナ内蔵式電子時計において、
前記胴の外周面において時計の２時方向および４時方向の位置には、一対の操作ボタンが設けられ、
前記突出部は、前記モジュール中心に対して前記各操作ボタンとは反対側の位置となる時計の８時方向および１０時方向にそれぞれ形成されており、
前記アンテナおよび磁性部材は、前記モジュールおよび胴内周面において時計の９時方向の位置に設けられている
ことを特徴とするアンテナ内蔵式電子時計。
【発明の詳細な説明】
【技術分野】
【０００１】
本発明は、時刻情報等を含んだ外部無線情報を受信して時刻修正等の処理を行う電波修正時計に代表されるアンテナ内蔵式電子時計に関する。
【背景技術】
【０００２】
従来、外部からの時刻情報を受信して時刻修正を行う電波修正時計等のアンテナ内蔵式電子時計が知られている（例えば、特許文献１参照）。
従来のアンテナ内蔵式電子時計において、金属製の外装ケース内にアンテナを収納した場合、図１４に示すように、アンテナ１０が電波を受信する際にアンテナ１０の共振による副磁路としての一部の磁束線１０２が外装ケース１０１内を通過し、外装ケース１０１内に渦電流１０３が発生する。
このように、アンテナ１０から発生する一部の磁束線１０２が外装ケース１０１内を通過する際に発生する渦電流損失により、従来のアンテナ内蔵式電子時計は、アンテナ１０のコイル１０４に誘導される交流電流が減少し、アンテナ特性が低下していた。
【０００３】
そこで、特許文献１のアンテナ内蔵式電子時計では、図１５に示すように、金属製の外装ケース１０１およびアンテナ１０間に、金属部品より磁化し易い高透磁率で、金属部品より渦電流を発生しにくい低導電性の磁性部材１０５を配置し、外装ケース１０１内を通過していた一部の磁束線１０２が磁性部材１０５内を通過するようにしている。これにより、渦電流の発生量が低減され、渦電流損失が小さくなることでアンテナ特性の低下を抑えていた。
【０００４】
【特許文献１】特開２００５−１６４３５４号公報
【発明の開示】
【発明が解決しようとする課題】
【０００５】
ところで、従来のアンテナ内蔵式電子時計における磁性部材は、外装ケースの内面に貼り付けられている。また、アンテナは、外装ケース内に収納されるモジュールの内部に配置されている。これら磁性部材とモジュールとの間には隙間が設けられ、モジュールの外周面が磁性部材に当接しないようにされている。
しかしながら、外装ケースは、モジュールを収納するためのスペースに加えて、外装ケースの内面に磁性部材を貼り付けるためのスペースをも確保する必要があった。すると、時計が大きくなってしまい、デザインに悪影響を与えたり、製造コストがアップしたりして商品性の面で好ましくなかった。
【０００６】
本発明の目的は、アンテナと金属製の外装ケースとの間に磁性部材が配置されているアンテナ内蔵式電子時計において、磁性部材を限られたスペースに効率よく配置できて、アンテナのアンテナ特性低下を抑制できるアンテナ内蔵式電子時計を提供することである。
【課題を解決するための手段】
【０００７】
本発明のアンテナ内蔵式電子時計は、胴および裏蓋を有する外装ケースと、外部無線情報を受信するアンテナと、このアンテナで受信した外部無線情報を処理する受信手段と、前記アンテナおよび受信手段が内部に配置されて外装ケース内に収納されているモジュールとを備え、前記胴は、少なくとも一部が金属で構成され、前記モジュールの側面には、複数の突出部が前記胴の内周面に当接するように設けられており、前記胴の内周面において前記アンテナに最も近接する位置には、前記突出部が当接する箇所を避けて凹部が形成され、この凹部には、前記胴より高透磁率かつ低導電率である磁性部材が嵌め込まれていることを特徴とする。
【０００８】
ここで、アンテナは、磁性材料で構成された磁性体コアおよびこの磁性体コアに巻かれたコイルにより構成されたものが利用できる。
磁性部材としては、シリコンゴム等のバインダーに、Ｆｅを主成分としたフェライト材やアモルファス材等の金属磁性粉末を分散させてシート状に形成されたものが利用できる。あるいは、シート状よりも高透磁率で磁気特性に優れているフェライト焼結材やアモルファス箔等の固形状のものを使用することもできる。
【０００９】
このような構成において、アンテナが外部無線情報（電波）を受信すると、アンテナ周辺に副磁路としての磁束線が発生する。磁性部材は胴の内周面の凹部に嵌め込まれており、この凹部はアンテナに最も近接する位置に形成されているので、発生した磁束線は、磁性部材の内部を通過し易くなっている。さらに、磁性部材は金属部材よりも透磁率が高いので、発生した磁束線は、少なくとも一部が金属で構成されている胴よりも磁性部材の内部を通過し易くなっている。よって、アンテナが電波を受信する際に発生する磁束線は、胴をほとんど通過しなくなり、磁性部材の内部を通過する。
さらに、磁性部材は金属部材よりも導電率が低いので、磁束線が内部を通過しても渦電流がほとんど生じない。よって、磁束線が磁性部材の内部を通過しても磁束線が金属部材の内部を通過する際に生じるような渦電流損失はほとんど生じない。
これらの理由で、磁束線が胴を通過することによる渦電流損失はほとんど生じなくなり、少なくとも一部が金属で構成されている胴を有する外装ケース内部にアンテナが配置されていても、アンテナのアンテナ特性低下を抑制することができる。
【００１０】
さらに、磁性部材は、胴の内周面の凹部に嵌め込まれているので、磁性部材を外装ケース内に配置しても外装ケースを大きくする必要は生じず、外装ケースを従来の大きさとすることができる。よって、磁性部材を外装ケース内の限られたスペースに効率よく配置することができる。
【００１１】
一方、磁性部材を外装ケース内に配置する際に、モジュール側面と磁性部材との間に隙間があると、外装ケースに収納されるモジュールの位置決めが不均一になってしまう恐れがある。
この発明によれば、複数の突出部がモジュール側面において胴の内周面に当接するように設けられているので、これらの突出部によってモジュールを外装ケース内に均一に位置決めすることができる。ここで、凹部は、胴の内周面においてアンテナに最も近接する位置に、突出部が当接する箇所を避けて形成されているので、突出部が凹部に嵌め込まれた磁性部材に接触することはなく、モジュールを外装ケース内に収納しても、磁性部材を保護することができる。
【００１２】
本発明のアンテナ内蔵式電子時計では、前記胴の内周面は、平面円形に形成されるとともに、前記アンテナは、磁性体コアおよびこの磁性体コアに巻かれたコイルにより構成され、前記コイルおよび磁性部材は、胴の内周面に沿って平面円弧状にそれぞれ形成され、前記磁性部材の一端部における胴の周方向の位置は、前記コイルの軸線が描く円弧の中心からコイルの一端部に向かって伸びる直線が胴の内周面と交わる位置から、前記円弧の中心から磁性体コアの一端部に向かって伸びる直線が前記胴の内周面と交わる位置までの間とされているとともに、前記磁性部材の他端部における胴の周方向の位置は、前記コイルの軸線が描く円弧の中心からコイルの他端部に向かって伸びる直線が胴の内周面と交わる位置から、前記円弧の中心から磁性体コアの他端部に向かって伸びる直線が前記胴の内周面と交わる位置までの間とされていることを特徴とする。
【００１３】
このような構成において、磁性部材の一端部における胴の周方向の位置は、コイルの軸線が描く円弧の中心からコイルの一端部に向かって伸びる直線が胴の内周面と交わる位置よりも磁性体コアの一端側の位置とされている。また、磁性部材の他端部における胴の周方向の位置は、前記円弧の中心からコイルの他端部に向かって伸びる直線が胴の内周面と交わる位置よりも磁性体コアの他端側の位置とされている。つまり、磁性部材が少なくともコイルの両端部よりも突出して磁性体コアの両端部側を覆うように配置されているので、磁性体コアの一端から出て、他端へ入る磁束線を磁性部材の内部に効率よく通過させることができる。従って、アンテナのアンテナ特性低下を効率よく抑制することができる。
【００１４】
また、磁性部材が磁性体コアの範囲よりも広い範囲を覆うように配置された場合、磁性体コアの端面からアンテナに入る電波が磁性部材に吸収されてしまうので、アンテナの受信感度が劣化する心配がある。
この発明によれば、磁性部材の一端部における胴の周方向の位置は、コイルの軸線が描く円弧の中心から磁性体コアの一端部に向かって伸びる直線が胴の内周面と交わる位置よりもコイル側の位置とされている。また、磁性部材の他端部における胴の周方向の位置は、前記円弧の中心から磁性体コアの他端部に向かって伸びる直線が胴の内周面と交わる位置よりもコイル側の位置とされている。つまり、磁性部材が磁性体コアの範囲よりも小さい範囲を覆うように配置されているので、良好なアンテナの受信感度を得ることができるとともに、アンテナのアンテナ特性低下を効率よく抑制することができる。
【００１５】
さらに、胴の内周面が平面円形に形成され、コイルおよび磁性部材がこの胴の内周面に沿って平面円弧状にそれぞれ形成されているので、アンテナをモジュール内に配置してもモジュール内のスペースを有効利用することができる。つまり、平面円弧状のコイルをモジュールの内周面に最も近接して配置することができるので、モジュール内に他部品を配置する際、配置の自由度を向上させることができる。
【００１６】
本発明のアンテナ内蔵式電子時計では、前記アンテナは、磁性体コアおよびこの磁性体コアに巻かれたコイルにより構成され、前記コイルの平面形状は、コイルの軸線が直線状に形成されており、前記磁性部材の一端部におけるコイルの軸線方向の位置は、コイルの軸線方向に沿ったコイルの一端部の位置から磁性体コアの一端部の位置までの間とされているとともに、前記磁性部材の他端部におけるコイルの軸線方向の位置は、コイルの軸線方向に沿ったコイルの他端部の位置から磁性体コアの他端部の位置までの間とされていることが好ましい。
【００１７】
このような構成において、磁性部材の一端部および他端部におけるコイルの軸線方向の位置は、コイルの軸線方向に沿ったコイルの一端部および他端部の位置よりもそれぞれ磁性体コアの先端側の位置とされている。つまり、磁性部材が少なくともコイルの両端部よりも突出して磁性体コアの先端部側を覆うように配置されているので、磁性体コアの一端から出て、他端へ入る磁束線を磁性部材の内部に効率よく通過させることができる。従って、アンテナのアンテナ特性低下を効率よく抑制することができる。
【００１８】
また、磁性部材の一端部および他端部におけるコイルの軸線方向の位置は、コイルの軸線方向に沿った磁性体コアの一端部および他端部の位置よりもそれぞれコイル側の位置とされている。つまり、磁性部材が磁性体コアの範囲よりも小さい範囲を覆うように配置されているので、磁性体コアの端面からアンテナに入る電波が磁性部材に吸収されることなく、良好なアンテナの受信感度を得ることができるとともに、アンテナのアンテナ特性低下を効率よく抑制することができる。
【００１９】
さらに、コイルの軸線が直線状に形成されているので、例えば円弧状に形成されたコイルよりもコイルを容易に製造することができる。また、コイルの軸線が直線状に形成されていることから、磁性体コアにおいてコイルが巻かれた部分も同様に直線状に形成されるので、磁性体コアを容易に製造することができる。
ここで、磁性体コアとしては、例えば平面状のアモルファス箔を時計の厚み方向に積層して構成されているものが利用できる。このアモルファス箔は、型抜きやエッチングで製造されるが、この際、磁性体コアのコイルが巻かれた部分が直線状に形成されているほうが、例えば円弧状に形成されている場合と比べて、アモルファス箔の型抜きやエッチングを効率よく行うことができる。
【００２０】
本発明のアンテナ内蔵式電子時計では、前記アンテナは、磁性体コアおよびこの磁性体コアに巻かれたコイルにより構成され、前記磁性部材の上端部における胴の厚さ方向の位置は、胴の厚さ方向における磁性体コアの上端部の位置と同じあるいは磁性体コア上端部の位置より上方とされ、前記磁性部材の下端部における胴の厚さ方向の位置は、胴の厚さ方向における磁性体コアの下端部より下方とされていることが好ましい。
【００２１】
このような構成において、磁性部材の上端部におけるモジュールの厚さ方向の位置は、モジュールの厚さ方向における磁性体コアの上端部より上方とされ、磁性部材の下端部におけるモジュールの厚さ方向の位置は、モジュールの厚さ方向における磁性体コアの下端部より下方とされている。つまり、モジュールの厚さ方向において、磁性部材が少なくとも磁性体コアの両端部を覆うように配置されているので、磁性体コアの一端から出て、他端へ入る磁束線を磁性部材の内部に効率よく通過させることができる。従って、アンテナのアンテナ特性低下を効率よく抑制することができる。
【００２２】
本発明のアンテナ内蔵式電子時計では、前記胴の外周面において時計の２時方向および４時方向の位置には、一対の操作ボタンが設けられて、前記突出部は、前記モジュール中心に対して前記各操作ボタンとは反対側の位置となる時計の８時方向および１０時方向にそれぞれ形成されており、前記アンテナおよび磁性部材は、前記モジュールおよび胴内周面において時計の１２時方向または６時方向に設けられていることが好ましい。
【００２３】
ここで、腕時計の場合、操作性をよくするため操作ボタンは時計の２時方向または４時方向に配置されることが多い。
このような構成において、時計の８時方向および１０時方向の位置における各突出部で挟まれた範囲よりも、１２時方向または６時方向の位置における操作ボタンと突出部とで挟まれた範囲のほうが、モジュールの内側面に沿った円弧長さが大きい。よって、モジュールの内側面に沿った寸法が大きく、受信感度の良いアンテナをモジュール内に容易に配置することができる。
さらに、各突出部が一対の操作ボタンとは反対側の位置にそれぞれ形成され、ケーシングの内周面に当接していることによって、操作ボタンへの押し力がモジュールに加わっても、モジュールの位置が外装ケース内で移動することを防ぐことができる。よって、モジュールを外装ケース内に均一に位置決めすることができる。
【００２４】
本発明のアンテナ内蔵式電子時計では、前記胴の外周面において時計の２時方向および４時方向の位置には、一対の操作ボタンが設けられ、前記突出部は、前記モジュール中心に対して前記各操作ボタンとは反対側の位置となる時計の８時方向および１０時方向にそれぞれ形成されており、前記アンテナおよび磁性部材は、前記モジュールおよび胴内周面において時計の９時方向の位置に設けられていることが好ましい。
【００２５】
このような構成において、時計用バンドが導電性材料の場合に、電波が時計用バンドに引き寄せられてしまうが、コイルがモジュール内側面の９時方向の位置において各突出部によって挟まれた範囲に配置されているので、時計用バンドがアンテナに悪影響を与えることを抑えることができる。
すなわち、時計用バンドがモジュールの略中心を通って長手方向がコイルの軸線に略平行に設けられ、時計用バンドの幅が時刻視認方向から見た場合にアンテナに重ならない程度の広さに形成されていれば、時計用バンドとアンテナとの平面的な位置関係が重ならない。よって、時計用バンドがアンテナに与える影響を小さくすることができ、アンテナの良好な受信感度を得ることができる。
【発明の効果】
【００２６】
本発明のアンテナ内蔵式電子時計によれば、少なくとも一部が金属で構成されている胴を有する外装ケース内部にアンテナが配置されていても、アンテナのアンテナ特性低下を抑制することができ、かつ、磁性部材を外装ケース内の限られたスペースに効率よく配置することができ、さらに、モジュールを外装ケース内に均一に位置決めすることができるという効果がある。
【発明を実施するための最良の形態】
【００２７】
以下、本発明の実施の形態を図面に基づいて説明する。なお、以下の説明にあたって、同一構成要件については、同一符号を付し、その説明を省略もしくは簡略化する。
（第１実施形態）
図１は、本発明の第１実施形態に係るアンテナ内蔵式電子時計としての電波修正時計１の正面図である。
電波修正時計１は、指針１１，１２，１３および文字板１４を備えた指針式時計（アナログ時計）である。この時計１の内部には、時刻情報を含む電波（外部無線情報）を受けるアンテナ２１が配置されている。
【００２８】
次に、電波修正時計１の構成に関し、図２のブロック図に基づいて説明する。
電波修正時計１は、受信した電波を処理する受信手段２と、駆動制御回路部３と、指針を駆動する駆動手段４と、時刻をカウントするカウンタ部６と、電力を供給する電力供給手段７および、リュウズ等の外部入力装置８とを備えて構成されている。
【００２９】
受信手段２は、電波を受信するアンテナ２１と、コンデンサ等で構成されてアンテナ２１で受信する電波に同調させる同調回路部２２と、アンテナ２１で受けた情報を処理する受信回路部２３と、受信回路部２３で処理された時刻データを記憶する時刻データ記憶回路部２４とを備えて構成されている。
【００３０】
同調回路部２２は、図３に示されるように、アンテナ２１に対して並列に接続された２つのコンデンサ２２Ａ，２２Ｂを備えて構成され、一方のコンデンサ２２Ｂはスイッチ２２Ｃを介してアンテナ２１に接続されている。
そして、駆動制御回路部３から出力される周波数切替え制御信号により、前記スイッチ２２Ｃをオンまたはオフすることで、アンテナ２１で受信する電波の周波数を切り替えるように構成されている。これにより、例えば、日本国内において、送信周波数４０ｋＨｚのおおたかどや山（東日本）の標準電波出力局と、送信周波数６０ｋＨｚのはがね山（西日本）の標準電波出力局とから出力されている２種類の周波数の長波標準電波を切り替えて受信することができるように構成されている。
【００３１】
受信回路部２３は、図３に示されるように、アンテナ２１によって受信された長波標準電波信号を増幅する増幅回路２３１と、増幅された長波標準電波信号から所望の周波数成分のみを抜き出すバンドパスフィルタ２３２と、長波標準電波信号を平滑化し復調する復調回路２３３と、増幅回路２３１のゲインコントロールを行ない長波標準電波信号の受信レベルが一定になるように制御するＡＧＣ（Automatic Gain Control）回路２３４と、復調された長波標準電波信号をデコードして出力するデコード回路２３５とを備えて構成されている。
受信回路部２３で受信され信号処理された時刻データは、図２に示すように、時刻データ記憶回路部２４に出力されて記憶される。
受信回路部２３は、予め設定されたスケジュールや外部入力装置８による強制受信操作等によって、駆動制御回路部３から出力される受信制御信号に基づいて時刻情報の受信を開始する。
【００３２】
駆動制御回路部３には、図２に示されるように、パルス合成回路３１からのパルス信号が入力される。パルス合成回路３１は、水晶振動子等の基準振動子３１１からの基準パルスを分周してクロックパルスを生成し、また、基準パルスからパルス幅やタイミングの異なるパルス信号を発生させる。
【００３３】
駆動制御回路部３は、一秒に一回出力され秒針を駆動させる秒駆動パルス信号ＰＳ１と、一分間に一回出力され時分針を駆動させる時分駆動パルス信号ＰＳ２とを、各秒駆動回路４１、時分駆動回路４２に出力して、指針の駆動を制御する。すなわち、各駆動回路４１，４２は、各回路４１、４２からのパルス信号によって駆動されるステッピングモータからなる秒モータ４１１，時分モータ４２１を駆動し、これにより各モータ４１１，４２１に接続された秒針と、分針および時針とを駆動する。そして、各指針、文字板、モータ４１１，４２１、駆動回路４１，４２によって時刻を表示する時刻表示手段が構成されている。なお、時刻表示手段としては、１つのモータで、時針、分針、秒針を駆動するものでもよい。
【００３４】
カウンタ部６は、秒をカウントする秒カウンタ回路部６１と、時分をカウントする時分カウンタ回路部６２とを備えて構成されている。
秒カウンタ回路部６１は、秒位置カウンタ６１１と、秒時刻カウンタ６１２と、一致検出回路６１３とを備えて構成されている。秒位置カウンタ６１１および秒時刻カウンタ６１２はともに６０カウント、つまり１Ｈｚの信号が入力された場合には６０秒でループするカウンタである。秒位置カウンタ６１１は、駆動制御回路部３から秒駆動回路４１に供給される駆動パルス信号（秒駆動パルス信号ＰＳ１）をカウントしている。つまり、秒針を駆動させる駆動パルス信号をカウントすることによって、秒針が示している秒針の位置をカウントしている。
秒時刻カウンタ６１２は、通常は、駆動制御回路部３から出力される１Ｈｚの基準パルス信号（クロックパルス）をカウントする。また、受信手段２で時刻データを受信した場合には、この時刻データのうちの秒データに合わせてカウンタ値が修正される。
【００３５】
同様に、時分カウンタ回路部６２は、時分位置カウンタ６２１と、時分時刻カウンタ６２２と、一致検出回路６２３とを備えて構成されている。時分位置カウンタ６２１および時分時刻カウンタ６２２はともに２４時間分の信号が入力されるとループするカウンタである。時分位置カウンタ６２１は、駆動制御回路部３から時分駆動回路４２に供給される駆動パルス信号（時分駆動パルス信号ＰＳ２）をカウントし、時針、分針が示している時分針の位置をカウントしている。
時分時刻カウンタ６２２は、通常は、駆動制御回路部３から出力される１Ｈｚのパルス（クロックパルス）をカウントする（正確には１Ｈｚを６０回計数したところで１カウントとする）。また、受信手段２で時刻データを受信した場合には、この時刻データのうちの時分データに合わせてカウンタ値が修正される。
【００３６】
各一致検出回路６１３，６２３は、各位置カウンタ６１１，６２１と各時刻カウンタ６１２，６２２とのカウント値の一致を検出し、一致しているか否かを示す検出信号を駆動制御回路部３に出力する。
駆動制御回路部３は、各一致検出回路６１３，６２３から不一致信号が入力されると、一致信号が入力されるまで各駆動パルス信号ＰＳ１，ＰＳ２を出力し続ける。このため、通常運針時は、駆動制御回路部３から１Ｈｚの基準信号によって各時刻カウンタ６１２，６２２のカウンタ値が変化して位置カウンタ６１１，６２１と不一致となると、各駆動パルス信号ＰＳ１，ＰＳ２が出力されて各指針が動くとともに、各位置カウンタ６１１，６２１が時刻カウンタ６１２，６２２と一致することになり、この動作を繰り返すことで、通常の運針制御が行われる。
また、受信した時刻データで各時刻カウンタ６１２，６２２が修正されると、そのカウンタ値に各位置カウンタ６１１，６２１のカウンタ値が一致するまで、各駆動パルス信号ＰＳ１，ＰＳ２が出力され続け、指針が早送りされて正しい時刻に修正される。
【００３７】
電力供給手段７は、自動巻発電機や太陽電池（ソーラー発電機）等によって構成された発電手段としての発電装置７１と、発電装置７１で発電された電力を蓄電する高容量二次電源７２とを備えて構成されている。高容量二次電源７２は、リチウムイオン電池のような二次電池が利用できる。なお、電力供給手段７としては、銀電池等の一次電池を用いてもよい。
外部入力手段としての外部入力装置８は、リュウズ等を備え、受信動作や時刻合わせ等を行うために利用される。
【００３８】
次に、電波修正時計１の構造について、図４，５に基づいて説明する。
電波修正時計１は、内周面が平面円形に形成されたケーシング（胴）９１と、ケーシング９１の表面側に装着されたカバーガラス９２と、ケーシング９１の裏面側に金属製の裏蓋取付枠９３１を介して着脱可能に取り付けられたガラス製の裏蓋９３とを備えている。ケーシング９１は、ステンレス鋼、真鍮、チタン等の金属材で構成されている。これらケーシング９１、カバーガラス９２および裏蓋９３によって、本実施形態における外装ケース９が構成されている。この外装ケース９内には、モジュール９４や、時計体の表面側に設けられた文字板１４等が収納されており、このモジュール９４の内部にはアンテナ２１や受信手段等の各構成部材等が配置されている。
【００３９】
モジュール９４は、平面円形状で合成樹脂製のモジュール中枠９６を有しており、モジュール中枠９６の内部には、受信回路部２３や駆動制御回路部３およびカウンタ部６を構成する受信ＩＣ８６、ＣＰＵ８７、基準振動子３１１等が取り付けられた回路基板８０や、駆動手段４を構成するモータ４１１，４２１や輪列等が組み込まれた時計体（ムーブメント）、電力供給手段７を構成する高容量二次電源（二次電池）７２等の各構成部材が組み込まれている。
【００４０】
モジュール中枠９６のケーシング９１に対向する側面には、ケーシング９１の内周面に当接する複数の突出部９４１が形成され、これらの突出部９４１は、ケーシング９１の内周面に沿って配置されている。具体的には、時計の１時方向、５時方向、７時方向および１１時方向の位置に突出部９４１がそれぞれ形成されている。
モジュール中枠９６の側面で突出部９４１が形成されていない部分においては、モジュール中枠９６の側面の全周にわたってケーシング９１の内周面と突出部９４１の突出寸法分の隙間が形成されている。
モジュール９４は、ケーシング９１内に収納される際、モジュール中枠９６に設けられた各突出部９４１がケーシング９１の内面とそれぞれ当接することでケーシング９１内での平面上の位置が固定される。
【００４１】
アンテナ２１と受信ＩＣ８６とは２本の配線で接続されている。すなわち、コイル２１２をアンテナ端部から取り出して回路基板８０にはんだ付けすることにより、アンテナ２１と受信ＩＣ８６とは電気的に接続されている。なお、前記電気的接続は、アンテナ２１にポリイミド等からなるフレキシブル基板を取り付け、この基板を回路基板８０にネジ留めすること等で行ってもよい。
【００４２】
アンテナ２１は、磁性体コア２１１およびこの磁性体コア２１１に巻かれたコイル２１２により構成されている。
磁性体コア２１１は、図５に示すように、断面が正方形に形成されている。
磁性体コア２１１およびコイル２１２は、図４に示すように、平面形状がケーシング９１の内周とほぼ同心円の円弧状に形成されており、モジュール中枠９６の内側面に沿って時計の９時方向の位置に配置されている。この際、アンテナ２１は、ケーシング９１に対して平面方向に数mm程度の間隔を空けて配置される。
【００４３】
磁性体コア２１１は、例えば、コバルト系のアモルファス箔（例；Ｃｏ５０ｗｔ％以上のアモルファス箔）を型で打ち抜くか、エッチングで成形したものを１０〜３０枚程接着して重ね合わせ、焼鈍等の熱処理を行って磁気特性を安定化させたものである。すなわち、磁性体コア２１１は、平面状のアモルファス箔を時計の厚み方向に積層して構成されている。なお、磁性体コア２１１としては、積層アモルファス箔に限定されず、フェライトを用いてもよく、この場合には、型等で成形し、熱処理して製造すればよい。
【００４４】
コイル２１２は、長波標準電波（４０〜７７．５ｋＨｚ）を受信する場合は、１０ｍＨ程度のインダクタンス値が必要となる。このため、本実施形態では、コイル２１２として直径０．１μｍ程度のウレメット線を数百ターンほど巻いて構成している。
【００４５】
ケーシング９１の内周面においてアンテナ２１に最も近接する位置に凹部９１１が設けられている。つまり、凹部９１１は、磁性体コア２１１およびコイル２１２が配置されている時計の９時方向の位置からすぐ外側の位置におけるケーシング９１の内周面に沿って設けられている。さらに、凹部９１１は、突出部９４１が当接する箇所を避けた位置に設けられている。
凹部９１１は、ケーシング９１の内周面を切削して形成されている。この際、凹部９１１は、ケーシング９１の厚み方向の中央部の肉厚部分を切削するので、ケーシング９１の強度面での心配は生じない。
【００４６】
凹部９１１には、ケーシング９１より透磁率が高く導電率が低い磁性部材で構成されたシート状の磁性部材９５が嵌め込まれている。
磁性部材９５は、ケーシング９１の内周面に沿って平面円弧状に形成されている。
磁性部材９５の一端部におけるケーシング９１の周方向の位置は、コイル２１２の軸線が描く円弧の中心（図４中の点Ｏ１）から磁性体コア２１１の一端部に向かって伸びる直線がケーシング９１の内周面と交わる位置とされている。
また、磁性部材９５の他端部におけるケーシング９１の周方向の位置は、コイル２１２の軸線が描く円弧の中心点Ｏ１から磁性体コア２１１の他端部に向かって伸びる直線がケーシング９１の内周面と交わる位置までの間とされている。
つまり、磁性部材９５がコイル２１２の両端部を覆うとともに、磁性体コア２１１の一端から他端までの範囲も覆うように配置されている（図４中の範囲Ａ）。
【００４７】
図５に示すように、磁性部材９５の上端部におけるケーシング９１の厚さ方向の位置は、ケーシング９１の厚さ方向における磁性体コア２１１の上端部より上方とされ、また、磁性部材９５の下端部におけるケーシング９１の厚さ方向の位置は、ケーシング９１の厚さ方向における磁性体コア２１１の下端部より下方とされている。つまり、磁性部材９５は、少なくとも磁性体コア２１１の両端部（図５中の範囲Ｂ）を覆うように配置されている。
【００４８】
磁性部材９５は、シリコンゴム等のバインダーに、Ｆｅを主成分としたフェライト材やアモルファス材等の金属磁性粉末を分散させてシート状に形成されている。そして、磁性部材９５は、図６に示すように、ケーシング９１の内周面に形成された凹部９１１に両面テープや接着剤によって埋め込まれ固定されている。
ここで、凹部９１１の深さ寸法を大きく設定してもケーシング９１の強度を確保することができる場合には、磁性部材９５としては、シート状よりも高透磁率で磁気特性に優れているフェライト焼結材やアモルファス箔等の固形状のものを使用することもできる。ただし、フェライト焼結材は、衝撃で割れ易いことや複雑な形状の加工が困難であること等の欠点がある。そのため、本実施形態のように、ケーシング９１の内周面に沿って設けられた凹部９１１に嵌め込む場合には、曲げ易いシート状の磁性部材９５のほうが好ましい。
【００４９】
時計１を駆動させるための高容量二次電源（二次電池）７２は、ステンレス製のケースで構成されている。また、高容量二次電源７２は、アンテナ特性に悪影響を与えるため、モジュール９４内において時計の３時方向の位置に配置されており、アンテナ２１からの距離を大きくとっている。
【００５０】
各指針１１〜１３を駆動させるための秒モータ４１１および時分モータ４２１は、磁性材料で構成されたステータを備えている。このステータは、アンテナ２１に悪影響を与えるため、アンテナ２１から離して配置されている。
【００５１】
基準振動子３１１は、ＣＰＵ８７に接続されて、回路のクロック信号となるが、周波数が長波受信周波数に近く、アンテナ２１にノイズとして信号が混入する可能性があるため、アンテナ２１から離して配置されている。
【００５２】
このような構成において、アンテナ２１が電波を受信すると、アンテナ２１周辺に磁束線が発生する。この際、磁束線は、磁性体コア２１１の一方の端部表面からその表面の法線方向に向かって磁性体コア２１１の外部へ出て、アンテナ２１周囲の空間を通過し、他方の端部表面へその表面の法線方向に向かって磁性体コア２１１の内部に入るという特性がある。また、磁性部材９５がケーシング９１の内周面の凹部９１１に嵌め込まれており、この凹部９１１がアンテナ２１に最も近接する位置に形成されている。よって、磁性体コア２１１の一方の端部表面から出た磁束線は、磁性部材９５の内部を通過して、他方の端部表面から磁性体コア２１１の内部に入っていく。さらに、磁性部材９５は金属部材よりも透磁率が高いので、発生した磁束線は、少なくとも一部が金属で構成されているケーシング９１よりも磁性部材９５の内部を通過し易くなっている。よって、アンテナ２１が電波を受信する際に発生する磁束線は、ケーシング９１内をほとんど通過しなくなり、磁性部材９５の内部を通過する。
【００５３】
本実施形態によれば、次の効果が得られる。
（１）磁性部材９５をケーシング９１の内周面の凹部９１１に嵌め込んだので、磁性部材９５を外装ケース９内に配置しても外装ケース９を大きくする必要は生じず、外装ケース９は従来の大きさのままでもよい。よって、磁性部材９５を外装ケース９内の限られたスペースに効率よく配置することができる。
さらに、モジュール中枠９６の内側面に沿ってアンテナ２１のコイル２１２を配置し、ケーシング９１の内周面においてアンテナ２１に最も近接する位置に凹部９１１を形成して、この凹部９１１は突出部９４１が当接する箇所を避けた位置に形成されている。よって、突出部９４１が凹部９１１に嵌め込まれた磁性部材９５に接触して傷つけたりしない。また、モジュール９４を外装ケース９内部にスムーズに収納することができ、磁性部材９５をモジュール９４から保護することができる。
【００５４】
（２）磁性部材９５を設けたので、磁束線はケーシング９１をほとんど通過しなくなり、磁束線がケーシング９１を通過することにより発生する渦電流損失はほとんど生じない。従って、金属で構成された外装ケース９内部に配置されていているアンテナ２１のアンテナ特性低下を抑制することができる。
つまり、磁性部材９５をケーシング９１の内周面でアンテナ２１に最も近接する位置に配置したので、発生した磁束線は、磁性部材９５の内部を通過し易くなる。さらに、磁性部材９５は金属部材よりも透磁率が高いので、発生した磁束線は、金属で構成されているケーシング９１よりも磁性部材９５の内部を通過し易くなる。よって、アンテナ２１が電波を受信する際に発生する磁束線は、ケーシング９１をほとんど通過しなくなり、磁性部材９５の内部を通過する。
さらに、磁性部材９５は金属部材よりも導電率が低いので、たとえ磁束線が磁性部材９５の内部を通過しても、磁束線が金属部材の内部を通過する際に生じるような渦電流損失はほとんど生じない。
これらのことから、磁束線の多くが、磁性部材９５を通過し易くなって、ケーシング９１を通過することによる渦電流損失がほとんど生じないので、アンテナ２１のアンテナ特性低下を抑制することができる。
【００５５】
（３）複数の突出部９４１をモジュール中枠９６の側面においてケーシング９１の内周面に当接するように設けたので、これらの突出部９４１によってモジュール９４を外装ケース９内に均一に位置決めすることができる。
【００５６】
（４）磁性部材９５がケーシング９１の内周面に沿ってコイル２１２の両端部よりも突出して磁性体コア２１１の両端部側を覆うように配置されているので、磁性体コア２１１の一端から出て、他端へ入る磁束線を磁性部材９５の内部に効率よく通過させることができる。従って、アンテナ２１のアンテナ特性低下を効率よく抑制することができる。
【００５７】
（５）磁性部材９５がケーシング９１の内周面に沿って磁性体コア２１１の範囲よりも小さい範囲を覆うように配置されているので、磁性体コア２１１の端面からアンテナ２１に入る電波が磁性部材９５に吸収されることなく、良好なアンテナ２１の受信感度を得ることができる。
【００５８】
（６）ケーシング９１の内周面が平面円形に形成され、コイル２１２の平面形状がケーシング９１の内周とほぼ同心円の円弧状に形成されているので、アンテナ２１をモジュール９４内に配置してもモジュール９４内のスペースを有効利用することができる。つまり、アンテナ２１の円弧状のコイル２１２をモジュール９４の内周面に最も近接して略平行に配置することができるので、モジュール９４内に他部品を配置する際、配置の自由度を向上させることができる。また、時計１の小型化に有利となる。さらに、アンテナ２１をモジュール９４の内周面に略平行に配置することができるので、ケーシング９１の影響を低減することができる。
【００５９】
（７）アンテナ２１は、ケーシング９１に対して平面方向に数mm程度の間隔を空けて配置されているので、コイル２１２の軸線方向の磁束線がケーシング９１を通過せず、アンテナ２１とケーシング９１との間の数mm程度のスペースを通過することができる。よって、この分だけ、アンテナ２１のアンテナ特性低下を抑制することができる。
【００６０】
（８）モジュール９４は合成樹脂製のモジュール中枠９６を有しており、このモジュール中枠９６はケーシング９１に対する内部に組み込まれた各構成部材の緩衝材として機能するので、モジュール９４の各構成部材を外部の衝撃等から保護することができる。
【００６１】
（第２実施形態）
次に、本発明の第２実施形態について図７，図８を参照して説明する。
第２実施形態の基本的構成は、第１実施形態に同様であるが、第２実施形態は竜頭８１を挟む一対の操作ボタン８２，８３が設けられている場合のアンテナ２１および磁性部材９５の配置に関して特徴を有する。
【００６２】
すなわち、時計１は、ケーシング９１の外周面における３時方向の位置に設けられた竜頭８１と、この竜頭８１を挟んで時計の２時方向および４時方向の位置に設けられた一対の操作ボタン８２，８３とを備えている。この一対の操作ボタン８２，８３をモジュール９４の中心に向かって押すと操作ボタン８２，８３に当接するスイッチ８４，８５が切り替わるので、受信操作等の操作をすることができる。
【００６３】
モジュール９４は、スイッチ８４，８５を有している。スイッチ８４，８５は、操作ボタン８２，８３とモジュール９４中心との間に配置され、操作ボタン８２，８３と当接可能に設けられている。
操作ボタン８２，８３は、モジュール９４の中心方向に移動可能に設けられ、操作ボタン８２，８３をクリックすることでスイッチ８４，８５を切り換える。
突出部９４１は、モジュール９４中心に対して各操作ボタン８２，８３とは反対側の位置である時計の８時方向および１０時方向に、それぞれ形成されている。また、時計の３時方向にある竜頭を挟む位置にも突出部９４１が形成されている。
【００６４】
コイル２１２は、モジュール９４の内側面において時計の２時方向の操作ボタン８２と１０時方向の突出部９４１とで挟まれた範囲（時計の１２時方向の位置）に配置されている。ここで、コイル２１２は、時計の６時方向の位置に配置されてもよい。ただし、時計の３時方向の位置における一対の操作ボタン８２，８３で挟まれた範囲には、磁性部材９５と竜頭８１が干渉するので、アンテナ２１を配置することはできない。また、時計の９時方向の位置にアンテナ２１を配置する場合、凹部９１１が突出部９４１と当接しないように凹部９１１をケーシング９１の内周面に形成しなければならない。例えば、突出部９４１と凹部９１１との位置関係がケーシング９１の厚さ方向に互いにずれた位置関係とする必要があり手間がかかる。
従って、時計の１２時方向の位置に配置されたアンテナ２１に最も近接する位置、つまり、平面円弧状の磁性体コア２１１およびコイル２１２が配置されている位置からすぐ外側の位置となるケーシング９１の内周面に沿って、凹部９１１が設けられている。
【００６５】
凹部９１１には、ケーシング９１より透磁率が高く導電率が低い磁性部材で構成されたシート状の磁性部材９５が嵌め込まれている。
磁性部材９５の一端部におけるケーシング９１の周方向の位置は、コイル２１２の軸線が描く円弧の中心（図７中の点Ｏ２）から磁性体コア２１１の一端部に向かって伸びる直線がケーシング９１の内周面と交わる位置とされている。
また、磁性部材９５の他端部におけるケーシング９１の周方向の位置は、コイル２１２の軸線が描く円弧の中心点Ｏ２から磁性体コア２１１の他端部に向かって伸びる直線がケーシング９１の内周面と交わる位置までの間とされている。
つまり、磁性部材９５がコイル２１２の両端部を覆うとともに、磁性体コア２１１の一端から他端までの範囲も覆うように配置されている（図７中の範囲Ｃ）。
【００６６】
このような第２実施形態によれば、上記の効果に加えて、次の効果が得られる。
（９）各突出部９４１が一対の操作ボタン８２，８３とは反対側の位置にそれぞれ形成され、ケーシング９１の内周面に当接していることによって、操作ボタン８２，８３への押し力がモジュール９４に加わっても、モジュール９４の位置が外装ケース９内で移動することを防ぐことができる。よって、モジュール９４を外装ケース９内に均一に位置決めすることができる。
【００６７】
（１０）時計の９時方向の位置における各突出部９４１で挟まれた範囲よりも、１２時方向または６時方向の位置における操作ボタン８２，８３と突出部９４１とで挟まれた範囲のほうが、モジュール９４の内側面に沿った円弧長さが大きいので、モジュール９４の内側面に沿って配置するアンテナ２１の寸法を大きくすることができる。よって、受信感度の良いアンテナ２１をモジュール９４内に容易に配置することができる。
【００６８】
（第３実施形態）
次に、本発明の第３実施形態について図９〜図１１を参照して説明する。
第３実施形態の基本的構成は、第１実施形態に同様であるが、第１実施形態がアナログ式の電波修正時計１であったのに対して、第３実施形態はＬＣＤの表示手段（液晶パネル）を有するデジタル式の電波修正時計１Ａである点に特徴を有する。
【００６９】
すなわち、デジタル式の電波修正時計１Ａは、図９に示すように、アンテナ２１Ａ、受信回路部２３、時刻データ記憶回路部２４、駆動制御回路部３、パルス合成回路３１、電力供給手段７である電池７３、リュウズ等の外部入力装置８等の電波修正時計１と同様の構成を備えている。さらに、駆動制御回路部３内には時刻カウンタ６３０が設けられ、時刻カウンタ６３０の時刻データが液晶パネルの駆動回路４３を介して時刻表示手段である液晶パネル４３０に表示されるように構成されている。
なお、時刻カウンタ６３０の値は、パルス合成回路３１からのパルス信号によって変化するとともに、受信回路部２３で受信され時刻データ記憶回路部２４に記憶された時刻データが正しいと判断された場合には、その時刻データによって更新される。
ここで、デジタル式の電波修正時計１Ａの場合は、モジュール中枠は使用せず、ムーブメントの構造部品として合成樹脂製のモジュール本体９６Ａを備えている。このモジュール本体９６Ａには、アンテナ２１Ａ、受信回路部２３、時刻データ記憶回路部２４、駆動制御回路部３、パルス合成回路３１、電池７３および液晶パネル４３０等が一体的に取り付けられ、モジュール９４Ａが形成され、外装ケース９Ａに収納されている。
【００７０】
次に、図１０，１１に示すように、時計１Ａは、平面形状が略矩形のケーシング９１Ａ外周面における２時方向および４時方向の位置に設けられた一対の操作ボタン８２Ａ，８３Ａを備えている。
また、ケーシング９１Ａには図示しない時計用バンドが接続されている。時計用バンドは、モジュール９４Ａの略中心を通って長手方向がコイル２１２Ａの軸線に略平行に設けられている。
【００７１】
時計用バンドは、ＳＵＳ（ステンレス鋼）、チタン合金、金合金、真鍮等の導電性材料を含んで形成されている。時計用バンドの幅は、時刻視認方向から見た場合にアンテナ２１Ａに重ならない程度の広さに形成されている。
【００７２】
モジュール９４Ａは、スイッチ８４Ａ，８５Ａを有している。スイッチ８４Ａ，８５Ａは、操作ボタン８２Ａ，８３Ａとモジュール９４Ａ中心との間に配置され、操作ボタン８２Ａ，８３Ａと当接可能に設けられている。
操作ボタン８２Ａ，８３Ａは、モジュール９４Ａの中心方向に移動可能に設けられ、操作ボタン８２Ａ，８３Ａをクリックすることでスイッチ８４Ａ，８５Ａを切り換える。
突出部９４１Ａは、モジュール９４Ａ中心に対して各操作ボタン８２Ａ，８３Ａとは反対側の位置である時計の８時方向および１０時方向に、それぞれ形成されている。また、時計の１時方向、３時方向、５時方向、７時方向および１１時方向の位置にもそれぞれ突出部９４１が合計７箇所に形成されている。
コイル２１２Ａの平面形状は、コイル２１２Ａの軸線が直線状に形成されている。コイル２１２Ａは、モジュール本体９６Ａにおいて８時方向および１０時方向の各突出部９４１Ａで挟まれた範囲（９時方向の位置）に回路基板８０Ａを介して取り付けられている。その際、コイル２１２Ａは、コイル２１２Ａの軸線とケーシング９１Ａの内周面の周方向と平行になるように配置されている。本例は位置決め及び操作ボタン８２Ａ，８３Ａの押力を受ける突出部９４１Ａがモジュール中枠ではなく、プラスチック製のモジュール本体９６Ａに直接設けられている例である。
【００７３】
凹部９１１Ａは、ケーシング９１Ａの内周面においてアンテナ２１Ａに最も近接する位置、つまり、平面円弧状の磁性体コア２１１Ａおよびコイル２１２Ａが配置されている位置からすぐ外側の位置となるケーシング９１Ａの内周面に沿って設けられている。
磁性部材９５Ａの一端部におけるコイル２１２Ａの軸線方向の位置は、コイル２１２Ａの軸線方向に沿ったコイル２１２Ａの一端部の位置から磁性体コア２１１Ａの一端部の位置までの間とされている。また、磁性部材９５Ａの他端部におけるコイル２１２Ａの軸線方向の位置は、コイル２１２Ａの他端部の位置から磁性体コア２１１Ａの他端部の位置までの間とされている。つまり、磁性部材９５Ａが少なくともコイル２１２Ａの両端部を覆うように配置され、かつ、磁性体コア２１１Ａの一端から他端までの範囲よりも小さい範囲を覆うように配置されている（図１０中の範囲Ｄ）。
【００７４】
モジュール９４内には、回路押え板９９が配置されている。この回路押え板９９にはスイッチ８４Ａ，８５Ａの端部が連結されている。また、回路押え板９９は、アンテナ２１Ａの配置と平面的に重なる部分がカットされている。
また、モジュール９４内には、カバーガラス９２Ａに対向する位置に液晶パネル４３０が配置され、この液晶パネルの周囲にソーラーパネル７４が配置されている。
金属で構成された裏蓋９３Ａの内面にはアラーム報音用の圧電素子１００が貼り付けられている。
また、デジタル式の電波修正時計１Ａとしては、アナログ式とデジタル式の両方の時刻表示手段を備えるものでもよい。
【００７５】
このような第３実施形態によれば、上記の効果に加えて、次の効果が得られる。
（１１）コイル２１２Ａがモジュール９４Ａ内側面の９時方向の位置において各突出部９４１Ａによって挟まれた範囲に配置され、図示しない時計用バンドがモジュール９４の略中心を通って長手方向がコイル２１２Ａの軸線に略平行に設けられるとともに、時計用バンドの幅が時刻視認方向から見た場合にアンテナ２１Ａに重ならない程度の広さに形成されているので、時計用バンドがアンテナ２１Ａに悪影響を与えることを抑えることができる。すなわち、時計用バンドがＳＵＳ（ステンレス鋼）、チタン合金、金合金、真鍮等の導電性材料を含んで形成されているので、時計用バンドが電波を引き寄せてしまうが、時計用バンドとアンテナ２１Ａとの平面的な位置関係が重ならないので、時計用バンドがアンテナ２１Ａの受信感度に与える影響を小さくすることができ、アンテナ２１Ａの良好な受信感度を得ることができる。
【００７６】
（１２）磁性部材９５Ａは、コイル２１２Ａの軸線方向において、少なくともコイル２１２Ａの両端部よりも突出して磁性体コア２１１Ａの先端部側を覆うように配置されているので、磁性体コア２１１Ａの一端から出て、他端へ入る磁束線を磁性部材９５Ａの内部に効率よく通過させることができる。従って、アンテナ２１Ａのアンテナ特性低下を効率よく抑制することができる。
【００７７】
（１３）磁性部材９５Ａがケーシング９１Ａの内周面に沿って磁性体コア２１１Ａの範囲よりも小さい範囲を覆うように配置されているので、磁性体コア２１１Ａの端面からアンテナ２１Ａに入る電波が磁性部材９５Ａに吸収されることなく、良好なアンテナ２１Ａの受信感度を得ることができる。
【００７８】
（１４）コイル２１２Ａの軸線が直線状に形成されているので、例えば円弧状に形成されたものよりもコイル２１２Ａを容易に製造することができる。また、コイル２１２Ａの軸線が直線状に形成されていることから、磁性体コア２１１Ａにおいてコイル線が巻かれた部分も同様に直線状に形成されるので、磁性体コア２１１Ａも容易に製造することができる。
ここで、磁性体コア２１１Ａとしては、例えば平面状のアモルファス箔を時計の厚み方向に積層して構成されているものが利用できる。このアモルファス箔は、型抜きやエッチングで製造されるが、この際、磁性体コア２１１Ａのコイル線が巻かれた部分が直線状に形成されているほうが、例えば円弧状に形成されている場合と比べて、アモルファス箔の型抜きやエッチングを効率よく行うことができる。
【００７９】
（１５）モジュール９４Ａ内に配置された回路押え板９９がアンテナ２１Ａの配置と平面的に重なる部分をカットしたので、回路押え板９９によるアンテナ特性への悪影響を低減でき、アンテナ２１Ａのアンテナ特性低下を抑制することができる。
【００８０】
なお、本発明は前述の実施形態に限定されるものではなく、本発明の目的を達成できる範囲での変形、改良等は本発明に含まれるものである。
例えば、前記実施形態では、裏蓋９３がガラスで構成されていたが、本発明では、図１２および図１３に示すように、裏蓋９３Ａが金属で構成されたものでもよい。
この変形例では、合成樹脂製の文字板１４の内面にソーラーパネル７４が配置されている。このソーラーパネル７４は、ガラス基板またはフレキシブル基板によって構成されている。このような構成において、電波は、文字板１４側から外装ケース９内のアンテナ２１に進入する。
ここで、裏蓋９３Ａの内面には、磁性部材としてアモルファスシート１２１が貼り付けられている。ここで、アモルファスシート１２１は、厚さ寸法が例えば１５μｍのものがあり、その他の磁性部材のシートの厚さ寸法は薄くても１００μｍ程度であるので、アモルファスシート１２１のほうが非常に薄い。よって、わずかな隙間にも貼り付けることができる等、使い勝手がよい。
図１２は、コバルト系のアモルファスシート１２１を裏蓋９３Ａに貼り付けたものを示している。アモルファスシート１２１の表面はペットフィルム等の絶縁シート１２２で覆われている。ここで、アモルファスは、透磁率が高く磁束線を通過させ易いが、導電率が高いので、磁束線が通過した際の渦電流損失が発生する。よって、できるかぎり薄く形成して渦電流損失の発生を抑制する必要がある。また、積層させることで磁気性能が向上する。
ここで、電波が文字板１４側から外装ケース９内のアンテナ２１に進入する場合、磁性体コア２１１Ａの端面に近接するケーシング９１の内周面は磁性部材で覆われていないほうがよく、ケーシング９１の内周面に貼り付ける磁性部材の周方向の端部は磁性体コア２１１Ａの端部よりもコイル２１２側に位置している。
一方、裏蓋９３Ａに磁性部材を貼り付けることによって、アンテナのアンテナ特性低下を抑制することができる。アンテナ２１から裏蓋側には主に共振のための磁束線が構成されることになるため、金属製の裏蓋９３Ａとアンテナ２１との間は磁性部材で覆われているほうがよい。
つまり、図１３に示すように、コイル２１２の軸線方向に沿った方向に関して、アモルファスシート１２１は、磁性体コア２１１の両端部よりも広い範囲を覆うように配置されているほうがよい。
【００８１】
また、前記実施形態では、凹部９１１と突出部９４１との配置関係は、両者が平面的に重ならない配置関係となっている。しかし、本発明では例えば、突出部９４１と凹部９１１との位置関係がケーシング９１の厚さ方向に互いにずれた位置関係としてもよい。つまり、凹部９１１は、突出部９４１が当接する箇所を避けた位置に形成されていればよい。
【００８２】
また、本発明の胴としてのケーシング９１は、ステンレス鋼、真鍮、チタン等の金属材で構成されているとしたが、ケーシング９１は、少なくとも一部が金属材で構成されていればよい。
【００８３】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００８４】
【図１】本発明の第１実施形態の正面図。
【図２】第１実施形態の制御系の構成を示すブロック図。
【図３】同上実施形態の受信回路部の構成を示すブロック図。
【図４】同上実施形態の構造を示す裏蓋側から見た断面図。
【図５】同上実施形態の構造を示す側面から見た断面図。
【図６】同上実施形態の磁性部材および凹部を示す斜視図。
【図７】本発明の第２実施形態の構造を示す裏蓋側から見た断面図。
【図８】同上実施形態の構造を示す側面から見た断面図。
【図９】本発明の第３実施形態の制御系の構成を示すブロック図。
【図１０】同上実施形態の構造を示すカバーガラス側から見た断面図。
【図１１】同上実施形態の構造を示す側面から見た断面図。
【図１２】本発明の変形例の構成を示す側面から見た断面図。
【図１３】同上変形例の裏蓋を示す正面図。
【図１４】アンテナによる電波の受信を説明する概念図。
【図１５】図１４に対して磁性部材を有するアンテナによる電波の受信を説明する概念図。
【符号の説明】
【００８５】
１，１Ａ…電波修正時計（アンテナ内蔵式電子時計）、２…受信手段、９，９Ａ…外装ケース、２１，２１Ａ…アンテナ、８２，８２Ａ，８３，８３Ａ…操作ボタン、９１，９１Ａ…ケーシング（胴）、９３，９３Ａ…裏蓋、９４，９４Ａ…モジュール、９５，９５Ａ…磁性部材、２１１，２１１Ａ…磁性体コア、２１２，２１２Ａ…コイル、９１１，９１１Ａ…凹部、９４１，９４１Ａ…突出部。
【図１】
0004618120.tif 000002
【図２】
0004618120.tif 000003
【図３】
0004618120.tif 000004
【図４】
0004618120.tif 000005
【図５】
0004618120.tif 000006
【図６】
0004618120.tif 000007
【図７】
0004618120.tif 000008
【図８】
0004618120.tif 000009
【図９】
0004618120.tif 000010
【図１０】
0004618120.tif 000011
【図１１】
0004618120.tif 000012
【図１２】
0004618120.tif 000013
【図１３】
0004618120.tif 000014
【図１４】
0004618120.tif 000015
【図１５】
0004618120.tif 000016